(57)【要約】      （修正有）【課題】ＬＥＤを使用したフォグランプの極性が、既設の電源回路における極性と自動的に整合される上、交換も色光の選択も簡易となるフォグランプユニットを提供する。【解決手段】ランプケース１ａ内の盤体１ｃに多数個のＬＥＤ群を設けるとともに、ＬＥＤユニット回路を内蔵したフォグランプ１と、該フォグランプ１を接続するソケット２と、該ソケット２とコード３を介して電気的に接続されるプラグ４とから成るフォグランプユニットにおいて、前記フォグランプ１とソケット２とプラグ４の何れかの一に前記ＬＥＤユニット回路と電気的に連係するダイオードブリッジ回路が内蔵されて成る。このほか、前記盤体１ｃが上下に分割され、それぞれの盤体１ｃにＬＥＤ群がその照射方向をそれぞれ上下方向として配設され、下方のＬＥＤ群に同心状の截頭円錐台のリフレクタ１ｅを対向配設する。【選択図】図１
0003146687.tif 000002
【実用新案登録請求の範囲】
【請求項１】
ランプケース内の盤体に多数個のＬＥＤ群を設けるとともに、ＬＥＤユニット回路を内蔵したフォグランプと、該フォグランプを接続するソケットと、該ソケットとコードを介して電気的に接続されるプラグとから成るフォグランプユニットにおいて、
前記フォグランプとソケットとプラグの何れかの一に前記ＬＥＤユニット回路と電気的に連係するダイオードブリッジ回路が内蔵されて成るフォグランプユニット。
【請求項２】
前記盤体が上下に分割され、それぞれの盤体にＬＥＤ群がその照射方向をそれぞれ上下方向として配設され、下方のＬＥＤ群に同心状の截頭円錐台のリフレクタを対向配設させて成る請求項１記載のフォグランプユニット。
【考案の詳細な説明】
【技術分野】
【０００１】  本考案は、自動車やレジャーボート、ヨットなどの船に用いられるフォグランプユニットに関する。
【背景技術】
【０００２】  従来から使用されているフォグランプは、ハロゲンや鉛、水銀等の環境に有害な物質を使用するものであり、環境に優しいフォグランプが求められている。一般的には電力消費も節減でき、環境にも優しい自動車用ランプとして、ＬＥＤを使用したランプが提案されているが、車載等の既設の電源回路の極性とフォグランプにおけるＬＥＤの極性の整合に手間を要するものである。また、損傷や球切れなどでの交換にも費用と手間を多く要する上、色光の多様化には簡易に対応できないものである。
【考案の開示】
【考案が解決しようとする課題】
【０００３】  そこで、本考案は、ＬＥＤを使用したフォグランプの極性が車載などの既設の電源回路の極性と自動的に整合される極性フリーで、しかも、交換や色光の選択も簡易なフォグランプユニットを提供するものである。
【課題を解決するための手段】
【０００４】  上記課題を解決する本考案の請求項１に記載のフォグランプユニットは、ランプケース内の盤体に多数個のＬＥＤ群を設けるとともに、ＬＥＤユニット回路を内蔵したフォグランプと、該フォグランプを接続するソケットと、該ソケットとコードを介して電気的に接続されるプラグとから成るフォグランプユニットにおいて、
前記フォグランプとソケットとプラグの何れかの一に前記ＬＥＤユニット回路と電気的に連係するダイオードブリッジ回路が内蔵されて成る。
また、請求項２に記載のフォグランプユニットは、請求項１記載のフォグランプユニットにおいて、前記盤体が上下に分割され、それぞれの盤体にＬＥＤ群がその照射方向をそれぞれ上下方向として配設され、下方のＬＥＤ群に同心状の截頭円錐台のリフレクタを対向配設させて成る。
【考案の効果】
【０００５】  本考案のフォグランプユニットは、車載などの既設の電源回路の極性に自動的に整合されるから、取付けや交換が極めて簡易である上、ＬＥＤの選択によって色光の多様化に簡易に対応できる効果がある。
【考案を実施するための最良の形態】
【０００６】  多数個のＬＥＤ群を点灯するための駆動回路は、ＬＥＤユニット回路とダイオードブリッジ回路とが近接してフォグランプに設けられるものから、ＬＥＤユニット回路をフォグランプに設け、該フォグランプを接続するソケットや電源に接続するプラグの内部にダイオードブリッジ回路を設けるものなどであり、また、フォグランプ内に設ける多数個のＬＥＤ群は、盤体の上面のみに設けられるものから、上下に盤体を分割して基板挿入空間を配して設けられるそれぞれの盤体に、それぞれ照射方向を上下方向にして設けられるとともに、下方のＬＥＤ群に同心状に截頭円錐台のリフレクタを対向配設するものなどである。
【実施例】
【０００７】  本考案のフォグランプユニットＡを実施例により説明すると、図１、図２に示すように、該フォグランプユニットＡは、透光性で適所に通気口が開口されたランプケース１ａの内部に、基板挿入空間１ｂを配して上下に配設される盤体１ｃ，１ｃのそれぞれの上下面に、それぞれ照射方向を上下方向とする多数個のＬＥＤ１ｄからなるＬＥＤ群が設けられ、下方を照射方向とするＬＥＤ群には該ＬＥＤ群と同心状の截頭円錐台の外形輪郭を有するリフレクタ１ｅを対向配設し、前記基板挿入空間１ｂに電気回路基板１ｆを挿入して成るフォグランプ１と、該フォグランプ１を接続するソケット２と、該ソケット２とコード３を介して電気的に接続されるプラグ４とから成る。
そして、フォグランプ１を点灯する駆動回路５は図３に示すように、電極接点ａに接続されるリードａａ及び電極接点ｂに接続されるリードｂｂ間にはダイオードブリッジ回路５ａが接続され、該ダイオードブリッジ回路５ａは一対の整流ダイオード３０，４０及び一対の整流ダイオード５０，６０がそれぞれカソード電極同士及びアノード電極同士が向かい合うように接続されて成り、整流ダイオード３０，４０間には減流抵抗５ｂａを介して直列に多数のＬＥＤ１ｄを配設した複数列のＬＥＤ群から成るＬＥＤユニット回路５ｂの陽極側が接続され、整流ダイオード５０，６０間にはＬＥＤユニット回路５ｂの陰極側が接続されて成り、電気回路基板１ｆに装填されて前記基板挿入空間１ｂに挿入される。【０００８】  このようにして成るフォグランプユニットＡでは、プラグ４を介して供給される電源の＋極が電極接点ａからリードａａに入力されると、ダイオードブリッジ回路５ａの経路３０ａからＬＥＤユニット回路５ｂに入力されて上下のＬＥＤ群を点灯し、下方のＬＥＤ群はリフレクタ１ｅによってその照射が上方へ変向され、ＬＥＤユニット回路５ｂの陰極側はダイオードブリッジ回路５ａの経路６０ａを経てリードｂｂの電極接点ｂよりプラグ４を介して電源の−極に接続される。
これとは逆に、プラグ４を介して供給される電源の＋極が電極接点ｂからリードｂｂに入力されると、ダイオードブリッジ回路５ａの経路４０ａよりＬＥＤユニット回路５ｂに入力されて前記と同様に上下のＬＥＤ群が点灯され、ＬＥＤユニット回路５ｂの陰極側はダイオードブリッジ回路５ａの経路５０ａを経てリードａａの電極接点ａよりプラグ４を介して電源の−極に接続されるものである。
このように、電源側の電極の配置の如何を問わず、単にプラグを差し込み通電するだけでフォグランプ１を点灯できるものである。【０００９】  図４に示したフォグランプ１は、ランプケース１ａの内部に多数個のＬＥＤ群を点灯する駆動回路５を構成するＬＥＤユニット回路５ｂと該ＬＥＤユニット回路５ｂと連係するダイオードブリッジ回路５ａとを収納したものであり、この駆動回路５は電気回路基板１ｆに装填されて基板挿入空間１ｂに設けられる。そして、ダイオードブリッジ回路５ａの電極接点ａがリードａａを介して口金６の周面に接続され、電極接点ｂがリードｂｂを介して口金６の周面と絶縁状態に配設される中心の端子部６ａに接続される。
このようにして成るフォグランプ１は、図２に示すソケット２に嵌着され、口金６の周面がソケット２の内周面に配設された接点２ａに接続され、下端中心に配設された端子部６ａがソケット２の底面に配設された接点２ｂに接続され、両接点２ａ，２ｂがコード３を介してプラグ４の両電極片４ａ，４ｂに電気的に連係されるものである。【００１０】  このフォグランプ１を使用したフォグランプユニットＡにおいても、プラグ４の電極片４ａ，４ｂに接続される極性が如何なる場合でもＬＥＤユニット回路５ｂに設けられるＬＥＤ群は点灯されるものである。【００１１】  次に、図５に示すフォグランプユニットＢについて説明すると、このものはソケット２の内部にダイオードブリッジ回路５ａを配設したもので、整流ダイオード３０，４０間にはソケット２の底面に配設された接点２ｂが接続され、一方、ソケット２の内周面に配設された接点２ａを介して、ダイオードブリッジ回路５ａの整流ダイオード５０，６０間にＬＥＤユニット回路５ｂの陰極側が接続され、電極接点ａがコード３を介してプラグ４の一方の電極片４ａに接続され、電極接点ｂがプラグ４の他方の電極片４ｂに接続されて成る。
したがって、このフォグランプユニットＢにおいても、プラグ４の両電極片４ａ，４ｂの何れから電源が入力されても、自動的にＬＥＤユニット回路５ｂのＬＥＤ群を点灯できるものである。
すなわち、電源の＋極がプラグ４の一方の電極片４ａから入力されると、ダイオードブリッジ回路５ａの電極接点ａから経路３０ａを経て接点２ｂに入力され、接点２ｂからフォグランプ１の口金６の端子部６ａを経てＬＥＤユニット回路５ｂの陽極側に入力されてＬＥＤ群が点灯され、ＬＥＤユニット回路５ｂの陰極側が口金６の周面を介してソケット２の内周面に配設された接点２ａに接続され、かつ、該接点２ａからダイオードブリッジ回路５ａの経路６０ａを経て電極接点ｂからコード３を介してプラグ４の他方の電極片４ｂに導通されて電源の−極に接続される。【００１２】  さらに、図６に示すフォグランプユニットＣについて説明すると、このものはプラグ４の内部にダイオードブリッジ回路５ａを収納したものであり、ダイオードブリッジ回路５ａの整流ダイオード３０，４０間には、コード３を介してソケット２の底部に配設される接点２ｂと接触するフォグランプ１の口金６の端子部６ａを経由してＬＥＤ群を点灯するＬＥＤユニット回路５ｂの陽極側が接続され、ＬＥＤユニット回路５ｂの陰極側は口金６の周面を介してソケット２の内周面に配設された接点２ａに接続され、かつ、該接点２ａからコード３を介してダイオードブリッジ回路５ａの整流ダイオード５０，６０間に接続され、さらに、経路６０ａを経て電極接点ｂよりプラグ４の他方の電極片４ｂに接続され、電極接点ａはプラグ４の一方の電極片４ａに接続されるものである。
したがって、このフォグランプユニットＣにおいても、電源側の極性に対するプラグ４の電極片４ａ，４ｂの接続の向きの如何を問わず、常にフォグランプ１のＬＥＤ群を点灯できるものである。
【産業上の利用可能性】
【００１３】  本考案のフォグランプユニットは、プラグの差し込み如何に拘わらず、常に電源側の極性に整合してフォグランプを点灯できる上、フォグランプの交換、取付けが単にソケットへの差し込み嵌着であるため極めて簡易となり、また、色光の多様化にも簡易に対応できるから、自動車業界やレジャーボート業界は勿論のこと、照明具業界でも照明具分野の活性化に多大に貢献できるものである。
【図面の簡単な説明】
【００１４】
【図１】本考案に係るフォグランプユニットＡの正面図。
【図２】フォグランプユニットＡのフォグランプ１を取り外した状態の平面図。
【図３】ＬＥＤ群点灯の駆動回路５の説明図。
【図４】フォグランプ１に設けた駆動回路５を模式的に表した説明図。
【図５】フォグランプユニットＢの駆動回路５の模式的な配置の説明図。
【図６】フォグランプユニットＣの駆動回路５の模式的な配置の説明図。
【符号の説明】
【００１５】１  フォグランプ
１ａ  ランプケース
１ｂ  基板挿入空間
１ｃ  盤体
１ｄ  ＬＥＤ
１ｅ  リフレクタ
１ｆ  電気回路基板
２  ソケット
２ａ  接点
２ｂ  接点
３  コード
４  プラグ
４ａ  電極片
４ｂ  電極片
５  駆動回路
５ａ  ダイオードブリッジ回路
５ａ  ＬＥＤユニット回路
５ｂａ  減流抵抗
６  口金
６ａ  端子部
３０  整流ダイオード
３０ａ  経路
４０  整流ダイオード
４０ａ  経路
５０  整流ダイオード
５０ａ  経路
６０  整流ダイオード
６０ａ  経路
ａ  電極接点
ａａ  リード
ｂ  電極接点
ｂｂ  リード
Ａ  フォグランプユニット
Ｂ  フォグランプユニット
Ｃ  フォグランプユニット
【図１】
0003146687.tif 000003
【図２】
0003146687.tif 000004
【図３】
0003146687.tif 000005
【図４】
0003146687.tif 000006
【図５】
0003146687.tif 000007
【図６】
0003146687.tif 000008